(57)【特許請求の範囲】
【請求項１】
導電路を包囲するフェライトコアと、
第１ケース構成体と第２ケース構成体を合体して構成され、前記フェライトコアを収容するフィルタケースと、
前記第１ケース構成体の内周面から突出し、細長くＭ字状に屈曲した形状をなしていて、導電路の外周に弾性的に当接可能な第１弾性保持片と、
前記第２ケース構成体の内周面から前記第１弾性保持片と対称に突出し、細長くＭ字状に屈曲した形状をなしていて、前記導電路の外周に弾性的に当接可能な第２弾性保持片とを備え、
前記第１弾性保持片と前記第２弾性保持片は、互いに相手側に向かって拡がるようなＶ字状をなす保持部を備え、
前記第１弾性保持片は、前記保持部の両端と前記第１ケース構成体の内周面とを連結する一対の脚部を備え、
前記第２弾性保持片は、前記保持部の両端と前記第２ケース構成体の内周面とを連結する一対の脚部を備えていることを特徴とするノイズフィルタ。
【請求項２】
前記保持部の屈曲部と、前記第１ケース構成体の内周面又は前記第２ケース構成体の内周面との間を連結する補強部を備えていることを特徴とする請求項１記載のノイズフィルタ。
【請求項３】
前記第１弾性保持片と前記第２弾性保持片が、前記導電路の軸線方向に間隔を空けて一対ずつ設けられており、
前記フェライトコアが、対をなす前記第１弾性保持片の間で挟まれるとともに対をなす前記第２弾性保持片の間で挟まれることで、軸線方向に位置決めされていることを特徴とする請求項１又は請求項２記載のノイズフィルタ。
【請求項４】
第１ケース構成体と第２ケース構成体を合体して構成され、導電路を包囲するフェライトコアを収容するフィルタケースであって、
前記第１ケース構成体の内周面から突出し、細長くＭ字状に屈曲した形状をなしていて、導電路の外周に弾性的に当接可能な第１弾性保持片と、
前記第２ケース構成体の内周面から前記第１弾性保持片と対称に突出し、細長くＭ字状に屈曲した形状をなしていて、前記導電路の外周に弾性的に当接可能な第２弾性保持片とを備え、
前記第１弾性保持片と前記第２弾性保持片は、互いに相手側に向かって拡がるようなＶ字状をなす保持部を備え、
前記第１弾性保持片は、前記保持部の両端と前記第１ケース構成体の内周面とを連結する一対の脚部を備え、
前記第２弾性保持片は、前記保持部の両端と前記第２ケース構成体の内周面とを連結する一対の脚部を備えていることを特徴とするフィルタケース。
【発明の詳細な説明】
【技術分野】
【０００１】
本発明は、ノイズフィルタ及びフィルタケースに関するものである。
【背景技術】
【０００２】
特許文献１には、電線を包囲するフェライトコアと、フェライトコアを包囲するフィルタケースとを備えたノイズフィルタが開示されている。フェライトコアの中心には、電線を挿通させるための挿通孔が形成されている。
【先行技術文献】
【特許文献】
【０００３】
【特許文献１】特開２００５−１５１４７４号公報
【発明の概要】
【発明が解決しようとする課題】
【０００４】
上記のノイズフィルタでは、フェライトコアの挿通孔の大きさと形状は、挿通孔に挿通される電線の太さに合わせて設定されている。そのため、太さが異なる電線には、適用できない。その対策としては、挿通孔の大きさを、想定される電線の最大径に合わせて設定することが考えられる。しかし、そうすると、小径の電線を使用する場合には、挿通孔内において電線の径方向の位置が定まらないため、フェライトコアのフィルタ機能が不安定となる。フィルタ機能の安定化を図るためには、電線の外周にテープを巻き付けて、挿通孔の内周との隙間を埋め、挿通孔内における電線の位置を安定させる必要がある。
【０００５】
本発明は上記のような事情に基づいて完成されたものであって、外径寸法の異なる複数種類の導電路を安定した位置に保持することを目的とする。
【課題を解決するための手段】
【０００６】
第１の発明のノイズフィルタは、
導電路を包囲するフェライトコアと、
第１ケース構成体と第２ケース構成体を合体して構成され、前記フェライトコアを収容するフィルタケースと、
前記第１ケース構成体の内周面から突出し、細長くＭ字状に屈曲した形状をなしていて、導電路の外周に弾性的に当接可能な第１弾性保持片と、
前記第２ケース構成体の内周面から前記第１弾性保持片と対称に突出し、細長くＭ字状に屈曲した形状をなしていて、前記導電路の外周に弾性的に当接可能な第２弾性保持片とを備え、
前記第１弾性保持片と前記第２弾性保持片は、互いに相手側に向かって拡がるようなＶ字状をなす保持部を備え、
前記第１弾性保持片は、前記保持部の両端と前記第１ケース構成体の内周面とを連結する一対の脚部を備え、
前記第２弾性保持片は、前記保持部の両端と前記第２ケース構成体の内周面とを連結する一対の脚部を備えているところに特徴を有する。
【０００７】
第２の発明のフィルタケースは、
第１ケース構成体と第２ケース構成体を合体して構成され、導電路を包囲するフェライトコアを収容するフィルタケースであって、
前記第１ケース構成体の内面から突出し、細長くＭ字状に屈曲した形状をなしていて、導電路の外周に弾性的に当接可能な第１弾性保持片と、
前記第２ケース構成体の内面から前記第１弾性保持片と対称に突出し、細長くＭ字状に屈曲した形状をなしていて、前記導電路の外周に弾性的に当接可能な第２弾性保持片とを備え、
前記第１弾性保持片と前記第２弾性保持片は、互いに相手側に向かって拡がるようなＶ字状をなす保持部を備え、
前記第１弾性保持片は、前記保持部の両端と前記第１ケース構成体の内周面とを連結する一対の脚部を備え、
前記第２弾性保持片は、前記保持部の両端と前記第２ケース構成体の内周面とを連結する一対の脚部を備えているところに特徴を有する。
【発明の効果】
【０００８】
導電路は、対称をなす第１弾性保持片と第２弾性保持片によって弾性的に挟まれることにより、所定の位置に保持される。導電路の外径が異なると、それに応じて第１弾性保持片と第２弾性保持片の弾性撓み量が変化する。したがって、外径が異なる複数種類の導電路を、フェライトコアに対して安定した位置に保持することができる。また、第１弾性保持片と第２弾性保持片は、フィルタケースの内部に収容されているので、他部材の干渉から保護されている。
また、第１弾性保持片と第２弾性保持片は、細長く屈曲した形状をなしていて弾性撓みし易いので、外径寸法の異なる複数種類の導電路に対し、幅広く対応できる。また、第１弾性保持片と第２弾性保持片は、その両端部が第１ケース構成体の内周面又は第２ケース構成体の内周面に連なっているので、導電路を安定して保持可能な弾性保持力を有する。
また、Ｖ字状の保持部により、両弾性保持片の対向方向と直交する方向においても、導電路の位置を安定させることができる。さらに、一対の脚部により保持部の位置を安定させることができるので、導電路の位置も安定させることができる。
【図面の簡単な説明】
【０００９】
【図１】実施例１のノイズフィルタの一部切欠正面図
【図２】図１のＸ−Ｘ線断面図
【図３】図１，２に示す導電路よりも外径の大きい導電路に取り付けた状態をあらわすＸ−Ｘ線相当断面図
【図４】実施例２のノイズフィルタにおいて、外径寸法の小さい導電路に取り付けた状態をあらわすＸ−Ｘ線相当断面図
【図５】実施例２のノイズフィルタにおいて、外径寸法の大きい導電路に取り付けた状態をあらわすＸ−Ｘ線相当断面図
【図６】参考例１のノイズフィルタにおいて、外径寸法の小さい導電路に取り付けた状態をあらわすＸ−Ｘ線相当断面図
【図７】参考例１のノイズフィルタにおいて、外径寸法の大きい導電路に取り付けた状態をあらわすＸ−Ｘ線相当断面図
【発明を実施するための形態】
【００１３】
（１）第１発明及び第２の発明は、前記保持部の屈曲部と、前記第１ケース構成体の内周面又は前記第２ケース構成体の内周面との間を連結する補強部を備えていてもよい。この構成によれば、保持部の位置が安定するので、導電路の位置をより安定させることができる。
【００１４】
（２）第１の発明及び第２の発明は、前記第１弾性保持片と前記第２弾性保持片が、前記導電路の軸線方向に間隔を空けて一対ずつ設けられており、前記フェライトコアが、対をなす前記第１弾性保持片の間で挟まれるとともに対をなす前記第２弾性保持片との間で挟まれることで、軸線方向に位置決めされていてもよい。この構成によれば、弾性保持片がフェライトコアを位置決めする機能を兼ね備えているので、弾性保持片とは別にフェライトコアを位置決めする手段をケース構成体に形成する場合に比べると、ケース構成体の形状を簡素化できる。
【００１５】
＜実施例１＞
以下、本発明を具体化した実施例１を図１〜図３を参照して説明する。尚、以下の説明において、前後の方向に関しては、図２，３における右側を前側と定義する。また、上下の方向に関しては、図１〜３にあらわれる向きを、そのまま上側、下側と定義する。
【００１６】
本実施例１のノイズフィルタＡは、フィルタケース１０にフェライトコアＦを取り付けて構成されてする。フェライトコアＦは円環形をなしており、フェライトコアＦの中心孔は導電路ＷＬ，ＷＳを挿通させるための挿通孔Ｈとなっている。ノイズフィルタＡは、外径寸法の異なる２種類の導電路ＷＬ，ＷＳに選択的に取り付けることができる。ノイズフィルタＡは、導電路ＷＬ，ＷＳのうち軸線を左右方向に向けた部分を包囲し、導電路ＷＬ，ＷＳのノイズを除去する。
【００１７】
導電路ＷＬ，ＷＳは、断面が円形をなしていて、１本の電線、複数本の電線を束ねたワイヤーハーネス、あるいは１本の電線をコルゲートチューブで包囲したもの、ワイヤーハーネスをコルゲートチューブで包囲したもの、１本の電線にソフトテープを巻き付けたもの、ワイヤーハーネスにソフトテープを巻き付けたもの等である。
【００１８】
フィルタケース１０は、合成樹脂製の単一部品として成形されたものであり、第１ケース構成体１１と第２ケース構成体１２をヒンジ１３で相対変位可能に連結した形態である。第１ケース構成体１１は全体として略半円弧状をなし、第２ケース構成体１２も全体として略半円弧状をなしている。ヒンジ１３を支点として両ケース構成体１１，１２を合体させると、軸線を左右方向（導電路ＷＬ，ＷＳと平行）に向けた略円筒形のフィルタケース１０が構成される。フィルタケース１０の内部には、フェライトコアＦを収容するための収容空間１４となっている。
【００１９】
第１ケース構成体１１は、第１周壁部１５と、左右一対の第１保護壁部１６とを一体に形成して構成されている。第１周壁部１５は、略半円弧形をなし、フェライトコアＦの外周面に当接するようになっている。第１保護壁部１６は、第１周壁部１５の左右両端縁から径方向内側へ延出した形態である。第２ケース構成体１２は、第２周壁部１７と、左右一対の第２保護壁部１８とを一体に形成して構成されている。第２周壁部１７は、略半円弧形をなし、フェライトコアＦの外周面に当接するようになっている。第２保護壁部１８は、第２周壁部１７の左右両端縁から径方向内側へ延出した形態である。
【００２０】
第１ケース構成体１１には、左右一対の第１弾性保持片１９が一体に形成されている。この一対の第１弾性保持片１９は、収容空間１４内に収容され、左右方向において第１保護壁部１６に近い位置に配置されている。第１弾性保持片１９は、細長く延びていて、導電路ＷＬ，ＷＳの軸線と平行に見たときに、略Ｍ字形をなすように屈曲した形状をなしている。即ち、第１弾性保持片１９は、第１保持部２０（請求項に記載の保持部）と前後一対の第１脚部２１（請求項に記載の脚部）とから構成されている。第１保持部２０は、収容空間１４の中心（導電路ＷＬ，ＷＳの軸心）に向かって拡開するように略Ｖ字形をなしている。一対の第１脚部２１は、第１保持部２０の両端から延出して第１周壁部１５の内周面に連なっている。第１保持部２０と第１脚部２１は、いずれも、弾性的に変形し得るようになっている。
【００２１】
第２ケース構成体１２には、左右一対の第２弾性保持片２２が一体に形成されている。この一対の第２弾性保持片２２は、収容空間１４内に収容され、左右方向において第２保護壁部１８に近い位置に配置されている。第２弾性保持片２２は、細長く延びていて、導電路ＷＬ，ＷＳの軸線と平行に見たときに、略Ｍ字形をなすように屈曲した形状をなしている。即ち、第２弾性保持片２２は、第２保持部２３（請求項に記載の保持部）と前後一対の第２脚部２４（請求項に記載の脚部）とから構成されている。第２保持部２３は、収容空間１４の中心（導電路ＷＬ，ＷＳの軸心）に向かって拡開するように略Ｖ字形をなしている。一対の第２脚部２４は、第２保持部２３の両端から延出して第２周壁部１７の内周面に連なっている。第２保持部２３と第２脚部２４は、いずれも、弾性的に変形し得るようになっている。
【００２２】
両ケース構成体１１，１２が合体した状態では、第１弾性保持片１９と第２弾性保持片２２が、収容空間１４内で導電路ＷＬ，ＷＳを挟むように対向している。そして、第１弾性保持片１９と第２弾性保持片２２は、両ケース構成体１１，１２の合体方向において対称な形状となっている。また、第１弾性保持片１９と第２弾性保持片２２が弾性撓みしていない自由状態においては、導電路ＷＬ，ＷＳの軸線方向に見たときに、第１保持部２０と第２保持部２３が、フェライトコアＦの挿通孔Ｈと重なるように位置している。
【００２３】
本実施例１のノイズフィルタＡの使用形態を説明する。図１，２は、比較的外径寸法の小さい導電路ＷＳにノイズフィルタＡを取り付けた場合を示す。導電路ＷＳは、略Ｖ字形をなす第１保持部２０と第２保持部２３との間で挟まれることにより、上下方向（両ケース構成体１１，１２の合体方向）及び前後方向の両方向において移動を規制された状態に保持される。導電路ＷＳは、外径寸法が挿通孔Ｈの内径寸法より小さいのであるが、第１弾性保持片１９と第２弾性保持片２２との間で挟まれることにより、フェライトコアＦ（挿通孔Ｈ）と同心状に位置決めされる。また、導電路ＷＳの外径寸法が小さいので、第１弾性保持片１９と第２弾性保持片２２の弾性変形量は、僅かである。
【００２４】
また、図３は、比較的外径寸法の大きい導電路ＷＬにノイズフィルタＡを取り付けた場合を示す。この導電路ＷＬも、上記導電路ＷＳと同様、略Ｖ字形をなす第１保持部２０と第２保持部２３との間で挟まれることにより、上下方向及び前後方向の両方向において移動を規制された状態に保持される。導電路ＷＬは、外径寸法が挿通孔Ｈの内径寸法より小さいのであるが、第１弾性保持片１９と第２弾性保持片２２との間で挟まれることにより、フェライトコアＦ（挿通孔Ｈ）と同心状に位置決めされる。
【００２５】
また、この導電路ＷＬは外径寸法が大きいので、第１弾性保持片１９と第２弾性保持片２２は、比較的大きく弾性変形する。即ち、略Ｖ字形をなす第１保持部２０と第２保持部２３は、その屈曲角度を大きくするように拡開変形する。また、両保持部２０，２３が拡開変形するのに伴い、各保持部２０，２３の両端が周壁部１５，１７の内周面に接近するので、第１脚部２１と第２脚部２４は、湾曲変形する。
【００２６】
上述のように本実施例１のノイズフィルタＡは、導電路ＷＬ，ＷＳを包囲するフェライトコアＦと、第１ケース構成体１１と第２ケース構成体１２を合体して構成され、フェライトコアＦを収容するフィルタケース１０とを備える。フィルタケース１０は、第１ケース構成体１１の内周面から突出し、導電路ＷＬ，ＷＳの外周に弾性的に当接可能な第１弾性保持片１９と、第２ケース構成体１２の内周面から第１弾性保持片１９と対称に突出し、導電路ＷＬ，ＷＳの外周に弾性的に当接可能な第２弾性保持片２２とを備えている。
【００２７】
この構成によれば、導電路ＷＬ，ＷＳは、対称をなす第１弾性保持片１９と第２弾性保持片２２によって弾性的に挟まれることにより、所定の位置に保持される。導電路ＷＬ，ＷＳの外径が異なると、それに応じて第１弾性保持片１９と第２弾性保持片２２の弾性撓み量が変化する。したがって、外径が異なる複数種類の導電路ＷＬ，ＷＳを、フェライトコアＦに対して安定した位置に保持することができる。また、第１弾性保持片１９と第２弾性保持片２２は、フィルタケース１０の内部（収容空間１４内）に収容されているので、他部材の干渉から保護されている。
【００２８】
また、第１弾性保持片１９と第２弾性保持片２２は、細長く屈曲した形状をなしていて弾性撓みし易いので、外径寸法の異なる２種類の導電路ＷＬ，ＷＳに対し、幅広く対応できる。また、第１弾性保持片１９と第２弾性保持片２２は、その両端部が第１ケース構成体１１の内周面又は第２ケース構成体１２の内周面に連なっているので、導電路ＷＬ，ＷＳを安定して保持可能な弾性保持力を有する。
【００２９】
また、第１弾性保持片１９と第２弾性保持片２２は、互いに相手側に向かって拡がるような略Ｖ字形をなす保持部２０，２３を備えている。この構成によれば、略Ｖ字形の保持部２０，２３により、両弾性保持片１９，２２の対向方向（上下方向）と直交する前後方向においても、導電路ＷＬ，ＷＳの位置を安定させることができる。しかも、第１弾性保持片１９は、第１保持部２０の両端と第１ケース構成体１１の内周面とを連結する一対の第１脚部２１を備えており、第２弾性保持片２２は、第２保持部２３の両端と第２ケース構成体１２の内周面とを連結する一対の第２脚部２４とを備えている。この構成によれば、一対の脚部２１，２４により保持部２０，２３の位置を安定させることができるので、導電路ＷＬ，ＷＳの位置も安定させることができる。
【００３０】
また、第１弾性保持片１９と第２弾性保持片２２が、導電路ＷＬ，ＷＳの軸線方向に間隔を空けて一対ずつ設けられており、フェライトコアＦが、対をなす第１弾性保持片１９との間で挟まれるとともに、対をなす第２弾性保持片２２との間で挟まれることにより、軸線方向に位置決めされている。この構成によれば、弾性保持片１９，２２がフェライトコアＦを位置決めする機能を兼ね備えているので、弾性保持片とは別にフェライトコアＦを位置決めする手段をケース構成体１１，１２に形成する場合に比べると、ケース構成体１１，１２の形状を簡素化できる。
【００３１】
＜実施例２＞
以下、本発明を具体化した実施例２を図４〜図５を参照して説明する。尚、以下の説明において、前後の方向に関しては、図４，５における右側を前側と定義する。上下の方向に関しては、図４，５にあらわれる向きを、そのまま上側、下側と定義する。
【００３２】
本実施例２のノイズフィルタＢは、フィルタケース３０にフェライトコアＦを取り付けて構成されている。ノイズフィルタＢは、外径寸法の異なる２種類の導電路ＷＬ，ＷＳに選択的に取り付けることができる。尚、フェライトコアＦと２種類の導電路ＷＬ，ＷＳは、実施例１と同じものであるから、同一符号を付し、説明は省略する。
【００３３】
フィルタケース３０は、合成樹脂製の単一部品として成形されたものであり、第１ケース構成体３１と第２ケース構成体３２をヒンジ３３で相対変位可能に連結した形態である。第１ケース構成体３１は全体として略半円弧状をなし、第２ケース構成体３２も全体として略半円弧状をなしている。ヒンジ３３を支点として両ケース構成体３１，３２を合体させると、軸線を左右方向（導電路ＷＬ，ＷＳと平行）に向けた略円筒形のフィルタケース３０が構成される。フィルタケース３０の内部には、フェライトコアＦを収容するための収容空間３４となっている。
【００３４】
第１ケース構成体３１は、第１周壁部３５と、左右一対の第１保護壁部（図示省略）とを一体に形成して構成されている。第１周壁部３５は、略半円弧形をなし、フェライトコアＦの外周面に当接するようになっている。第１保護壁部は、第１周壁部３５の左右両端縁から径方向内側へ延出した形態である。第２ケース構成体３２は、第２周壁部３６と、左右一対の第２保護壁部（図示省略）とを一体に形成して構成されている。第２周壁部３６は、略半円弧形をなし、フェライトコアＦの外周面に当接するようになっている。第２保護壁部は、第２周壁部３６の左右両端縁から径方向内側へ延出した形態である。
【００３５】
第１ケース構成体３１には、左右一対の第１弾性保持片３７が一体に形成されている。この一対の第１弾性保持片３７は、収容空間３４内に収容され、左右方向において第１保護壁部に近い位置に配置されている。第１弾性保持片３７は、細長く延びていて、導電路ＷＬ，ＷＳの軸線と平行に見たときに、屈曲した形状をなしている。即ち、第１弾性保持片３７は、第１保持部３８（請求項に記載の保持部）と、前後一対の第１脚部３９（請求項に記載の脚部）と、第１補強部４０（請求項に記載の補強部）とから構成されている。
【００３６】
第１保持部３８は、収容空間３４の中心（導電路ＷＬ，ＷＳの軸心）に向かって拡開するように略Ｖ字形をなしている。一対の第１脚部３９は、第１保持部３８の両端から延出して第１周壁部３５の内周面に連なっている。第１保持部３８と一対の脚部は、略Ｍ字形をなすように構成されている。第１保持部３８と第１脚部３９は、いずれも、弾性的に変形し得るようになっている。
【００３７】
第１補強部４０は、第１保持部３８の第１屈曲部４１（請求項に記載の屈曲部）と、第１周壁部３５の内周面とを連結する形態である。第１補強部４０は、第１脚部３９と平行をなし、フェライトコアＦの中心から径方向に真っ直ぐ延びている。また、第１補強部４０は、第１保持部３８及び第１脚部３９よりも太く形成されている。したがって、第１保持部３８と第１脚部３９が弾性変形しても、剛性の高い第１補強部４０は、殆ど弾性変形しない。
【００３８】
第２ケース構成体３２には、左右一対の第２弾性保持片４２が一体に形成されている。この一対の第２弾性保持片４２は、収容空間３４内に収容され、左右方向において第２保護壁部に近い位置に配置されている。第２弾性保持片４２は、細長く延びていて、導電路ＷＬ，ＷＳの軸線と平行に見たときに、屈曲した形状をなしている。即ち、第２弾性保持片４２は、第２保持部４３（請求項に記載の保持部）と、前後一対の第２脚部４４（請求項に記載の脚部）と、第２補強部４５（請求項に記載の補強部）から構成されている。
【００３９】
第２保持部４３は、収容空間３４の中心（導電路ＷＬ，ＷＳの軸心）に向かって拡開するように略Ｖ字形をなしている。一対の第２脚部４４は、第２保持部４３の両端から延出して第２周壁部３６の内周面に連なっている。第２保持部４３と一対の脚部は、略Ｍ字形をなすように構成されている。第２保持部４３と第２脚部４４は、いずれも、弾性的に変形し得るようになっている。
【００４０】
第２補強部４５は、第２保持部４３の第２屈曲部４６（請求項に記載の屈曲部）と、第２周壁部３６の内周面とを連結する形態である。第２補強部４５は、第２脚部４４と平行をなし、フェライトコアＦの中心から径方向に真っ直ぐ延びている。また、第２補強部４５は、第２保持部４３及び第２脚部４４よりも太く形成されている。したがって、第２保持部４３と第２脚部４４が弾性変形しても、剛性の高い第２補強部４５は、殆ど弾性変形しない。
【００４１】
両ケース構成体３１，３２が合体した状態では、第１弾性保持片３７と第２弾性保持片４２が、収容空間３４内で導電路ＷＬ，ＷＳを挟むように対向している。そして、第１弾性保持片３７と第２弾性保持片４２は、両ケース構成体３１，３２の合体方向において対称な形状となっている。また、第１弾性保持片３７と第２弾性保持片４２が弾性撓みしていない自由状態においては、導電路ＷＬ，ＷＳの軸線方向に見たときに、第１保持部３８と第２保持部４３が、フェライトコアＦの挿通孔Ｈと重なるように位置している。
【００４２】
本実施例２のノイズフィルタＢの使用形態を説明する。図４は、比較的外径寸法の小さい導電路ＷＳにノイズフィルタＢを取り付けた場合を示す。導電路ＷＳは、略Ｖ字形をなす第１保持部３８と第２保持部４３との間で挟まれることにより、上下方向（両ケース構成体３１，３２の合体方向）及び前後方向の両方向において移動を規制された状態に保持される。導電路ＷＳは、外径寸法が挿通孔Ｈの内径寸法より小さいのであるが、第１弾性保持片３７と第２弾性保持片４２との間で挟まれることにより、フェライトコアＦ（挿通孔Ｈ）と同心状に位置決めされる。また、導電路ＷＳの外径寸法が小さいので、第１弾性保持片３７と第２弾性保持片４２の弾性変形量は、僅かである。
【００４３】
また、図５は、比較的外径寸法の大きい導電路ＷＬにノイズフィルタＢを取り付けた場合を示す。この導電路ＷＬも、上記導電路ＷＳと同様、略Ｖ字形をなす第１保持部３８と第２保持部４３との間で挟まれることにより、上下方向及び前後方向の両方向において移動を規制された状態に保持される。導電路ＷＬは、外径寸法が挿通孔Ｈの内径寸法より小さいのであるが、第１弾性保持片３７と第２弾性保持片４２との間で挟まれることにより、フェライトコアＦ（挿通孔Ｈ）と同心状に位置決めされる。
【００４４】
また、この導電路ＷＬは外径寸法が大きいので、第１弾性保持片３７と第２弾性保持片４２は、比較的大きく弾性変形する。即ち、略Ｖ字形をなす第１保持部３８と第２保持部４３は、その屈曲角度を大きくするように拡開変形する。また、両保持部３８，４３が拡開変形するのに伴い、各保持部３８，４３の両端が周壁部３５，３６の内周面に接近するので、第１脚部３９と第２脚部４４は、湾曲変形する。
【００４５】
上述のように本実施例２のノイズフィルタＢは、導電路ＷＬ，ＷＳを包囲するフェライトコアＦと、第１ケース構成体３１と第２ケース構成体３２を合体して構成され、フェライトコアＦを収容するフィルタケース３０とを備える。フィルタケース３０は、第１ケース構成体３１の内周面から突出し、導電路ＷＬ，ＷＳの外周に弾性的に当接可能な第１弾性保持片３７と、第２ケース構成体３２の内周面から第１弾性保持片３７と対称に突出し、導電路ＷＬ，ＷＳの外周に弾性的に当接可能な第２弾性保持片４２とを備えている。
【００４６】
この構成によれば、導電路ＷＬ，ＷＳは、対称をなす第１弾性保持片３７と第２弾性保持片４２によって弾性的に挟まれることにより、所定の位置に保持される。導電路ＷＬ，ＷＳの外径が異なると、それに応じて第１弾性保持片３７と第２弾性保持片４２の弾性撓み量が変化する。したがって、外径が異なる複数種類の導電路ＷＬ，ＷＳを、フェライトコアＦに対して安定した位置に保持することができる。また、第１弾性保持片３７と第２弾性保持片４２は、フィルタケース３０の内部（収容空間３４内）に収容されているので、他部材の干渉から保護されている。
【００４７】
また、第１弾性保持片３７と第２弾性保持片４２は、細長く屈曲した形状をなしていて弾性撓みし易いので、外径寸法の異なる複数種類の導電路ＷＬ，ＷＳに対し、幅広く対応できる。また、第１弾性保持片３７と第２弾性保持片４２は、その両端部が第１ケース構成体３１の内周面又は第２ケース構成体３２の内周面に連なっているので、導電路ＷＬ，ＷＳを安定して保持可能な弾性保持力を有する。
【００４８】
また、第１弾性保持片３７と第２弾性保持片４２は、互いに相手側に向かって拡がるような略Ｖ字形をなす保持部３８，４３を備えている。この構成によれば、略Ｖ字形の保持部３８，４３により、両弾性保持片３７，４２の対向方向（上下方向）と直交する前後方向においても、導電路ＷＬ，ＷＳの位置を安定させることができる。しかも、第１弾性保持片３７は、第１保持部３８の両端と第１ケース構成体３１の内周面とを連結する一対の第１脚部３９を備えており、第２弾性保持片４２は、第２保持部４３の両端と第２ケース構成体３２の内周面とを連結する一対の第２脚部４４とを備えている。この構成によれば、一対の脚部３９，４４により保持部３８，４３の位置を安定させることができるので、導電路ＷＬ，ＷＳの位置も安定させることができる。
【００４９】
また、第１弾性保持片３７は、第１保持部３８の第１屈曲部４１と、第１ケース構成体３１の内面面との間を連結する第１補強部４０を備えている。第２弾性保持片４２は、第２保持部４３の第２屈曲部４６と、第２ケース構成体３２の内周面との間を連結する第２補強部４５を備えている。この構成によれば、第１保持部３８と第２保持部４３の位置が安定するので、導電路ＷＬ，ＷＳの位置をより安定させることができる。
【００５０】
また、第１弾性保持片３７と第２弾性保持片４２が、導電路ＷＬ，ＷＳの軸線方向に間隔を空けて一対ずつ設けられており、フェライトコアＦが、対をなす第１弾性保持片３７との間で挟まれるとともに、対をなす第２弾性保持片４２との間で挟まれることにより、軸線方向に位置決めされている。この構成によれば、弾性保持片３７，４２がフェライトコアＦを位置決めする機能を兼ね備えているので、弾性保持片３７，４２とは別にフェライトコアＦを位置決めする手段をケース構成体３１，３２に形成する場合に比べると、ケース構成体３１，３２の形状を簡素化できる。
【００５１】
＜参考例１＞
以下、本発明の参考例１を図６〜図７を参照して説明する。尚、以下の説明において、前後の方向に関しては、図６，７における右側を前側と定義する。また、上下の方向に関しては、図６，７にあらわれる向きを、そのまま上側、下側と定義する。
【００５２】
本参考例１のノイズフィルタＣは、フィルタケース５０にフェライトコアＦを取り付けて構成されている。ノイズフィルタＣは、外径寸法の異なる２種類の導電路ＷＬ，ＷＳに選択的に取り付けることができる。尚、フェライトコアＦと２種類の導電路ＷＬ，ＷＳは、実施例１，２と同じものであるから、同一符号を付し、説明は省略する。
【００５３】
フィルタケース５０は、合成樹脂製の単一部品として成形されたものであり、第１ケース構成体５１と第２ケース構成体５２をヒンジ５４で相対変位可能に連結した形態である。第１ケース構成体５１は全体として略半円弧状をなし、第２ケース構成体５２も全体として略半円弧状をなしている。ヒンジ５４を支点として両ケース構成体５１，５２を合体させると、軸線を左右方向（導電路ＷＬ，ＷＳと平行）に向けた略円筒形のフィルタケース５０が構成される。フィルタケース５０の内部には、フェライトコアＦを収容するための収容空間５４となっている。
【００５４】
第１ケース構成体５１は、第１周壁部５５と、左右一対の第１保護壁部（図示省略）とを一体に形成して構成されている。第１周壁部５５は、略半円弧形をなし、フェライトコアＦの外周面に当接するようになっている。第１保護壁部は、第１周壁部５５の左右両端縁から径方向内側へ延出した形態である。第２ケース構成体５２は、第２周壁部５６と、左右一対の第２保護壁部（図示省略）とを一体に形成して構成されている。第２周壁部５６は、略半円弧形をなし、フェライトコアＦの外周面に当接するようになっている。第２保護壁部は、第２周壁部５６の左右両端縁から径方向内側へ延出した形態である。
【００５５】
第１ケース構成体５１には、左右一対の第１弾性保持片５７が一体に形成されている。この一対の第１弾性保持片５７は、収容空間５４内に収容され、左右方向において第１保護壁部に近い位置に配置されている。第１弾性保持片５７は、細長く延びていて、導電路ＷＬ，ＷＳの軸線と平行に見たときに、屈曲した形状をなしている。即ち、第１弾性保持片５７は、第１保持部５８（請求項に記載の保持部）と第１補強部５９（請求項に記載の補強部）とから構成されている。第１保持部５８は、収容空間５４の中心（導電路ＷＬ，ＷＳの軸心）に向かって拡開するように略Ｖ字形をなしている。第１保持部５８の前後両端部は、第１周壁部５５に繋がっていない。
【００５６】
第１補強部５９は、第１保持部５８の第１屈曲部６０（請求項に記載の屈曲部）と、第１周壁部５５の内周面とを連結する形態である。第１補強部５９は、フェライトコアＦの中心から径方向に真っ直ぐ延びている。また、第１補強部５９は、第１保持部５８よりも太く形成されている。したがって、第１保持部５８が、弾性的に変形し得るようになっているのに対し、剛性の高い第１補強部５９は、殆ど弾性変形しない。
【００５７】
第２ケース構成体５２には、左右一対の第２弾性保持片６１が一体に形成されている。この一対の第２弾性保持片６１は、収容空間５４内に収容され、左右方向において第２保護壁部に近い位置に配置されている。第２弾性保持片６１は、細長く延びていて、導電路ＷＬ，ＷＳの軸線と平行に見たときに、屈曲した形状をなしている。即ち、第２弾性保持片６１は、第２保持部６２（請求項に記載の保持部）と第２補強部６３（請求項に記載の補強部）とから構成されている。第２保持部６２は、収容空間５４の中心（導電路ＷＬ，ＷＳの軸心）に向かって拡開するように略Ｖ字形をなしている。第２保持部６２の前後両端部は、第２周壁部５６に繋がっていない。
【００５８】
第２補強部６３は、第２保持部６２の第２屈曲部６４（請求項に記載の屈曲部）と、第２周壁部５６の内周面とを連結する形態である。第２補強部６３は、フェライトコアＦの中心から径方向に真っ直ぐ延びている。また、第２補強部６３は、第１保持部５８よりも太く形成されている。したがって、第２保持部６２が、弾性的に変形し得るようになっているのに対し、剛性の高い第２補強部６３は、殆ど弾性変形しない。
【００５９】
両ケース構成体５１，５２が合体した状態では、第１弾性保持片５７と第２弾性保持片６１が、収容空間５４内で導電路ＷＬ，ＷＳを挟むように対向している。そして、第１弾性保持片５７と第２弾性保持片６１は、両ケース構成体５１，５２の合体方向において対称な形状となっている。また、第１弾性保持片５７と第２弾性保持片６１が弾性撓みしていない自由状態においては、導電路ＷＬ，ＷＳの軸線方向に見たときに、第１保持部５８と第２保持部６２が、フェライトコアＦの挿通孔Ｈと重なるように位置している。
【００６０】
本参考例１のノイズフィルタＣの使用形態を説明する。図６は、比較的外径寸法の小さい導電路ＷＳにノイズフィルタＣを取り付けた場合を示す。導電路ＷＳは、略Ｖ字形をなす第１保持部５８と第２保持部６２との間で挟まれることにより、上下方向（両ケース構成体５１，５２の合体方向）及び前後方向の両方向において移動を規制された状態に保持される。導電路ＷＳは、外径寸法が挿通孔Ｈの内径寸法より小さいのであるが、第１弾性保持片５７と第２弾性保持片６１との間で挟まれることにより、フェライトコアＦ（挿通孔Ｈ）と同心状に位置決めされる。また、導電路ＷＳの外径寸法が小さいので、第１弾性保持片５７と第２弾性保持片６１の弾性変形量は、僅かである。
【００６１】
また、図７は、比較的外径寸法の大きい導電路ＷＬにノイズフィルタＣを取り付けた場合を示す。この導電路ＷＬも、上記導電路ＷＳと同様、略Ｖ字形をなす第１保持部５８と第２保持部６２との間で挟まれることにより、上下方向及び前後方向の両方向において移動を規制された状態に保持される。導電路ＷＬは、外径寸法が挿通孔Ｈの内径寸法より小さいのであるが、第１弾性保持片５７と第２弾性保持片６１との間で挟まれることにより、フェライトコアＦ（挿通孔Ｈ）と同心状に位置決めされる。
【００６２】
また、この導電路ＷＬは外径寸法が大きいので、第１弾性保持片５７と第２弾性保持片６１は、比較的大きく弾性変形する。即ち、略Ｖ字形をなす第１保持部５８と第２保持部６２は、その屈曲角度を大きくするように拡開変形する。このとき、第１補強部５９と第２補強部６３は殆ど変形しないので、第１保持部５８と第２保持部６２の拡開角度は大きくなる。
【００６３】
上述のように本参考例１のノイズフィルタＣは、導電路ＷＬ，ＷＳを包囲するフェライトコアＦと、第１ケース構成体５１と第２ケース構成体５２を合体して構成され、フェライトコアＦを収容するフィルタケース５０とを備える。フィルタケース５０は、第１ケース構成体５１の内周面から突出し、導電路ＷＬ，ＷＳの外周に弾性的に当接可能な第１弾性保持片５７と、第２ケース構成体５２の内周面から第１弾性保持片５７と対称に突出し、導電路ＷＬ，ＷＳの外周に弾性的に当接可能な第２弾性保持片６１とを備えている。
【００６４】
この構成によれば、導電路ＷＬ，ＷＳは、対称をなす第１弾性保持片５７と第２弾性保持片６１によって弾性的に挟まれることにより、所定の位置に保持される。導電路ＷＬ，ＷＳの外径が異なると、それに応じて第１弾性保持片５７と第２弾性保持片６１の弾性撓み量が変化する。したがって、外径が異なる複数種類の導電路ＷＬ，ＷＳを、フェライトコアＦに対して安定した位置に保持することができる。また、第１弾性保持片５７と第２弾性保持片６１は、フィルタケース５０の内部（収容空間５４内）に収容されているので、他部材の干渉から保護されている。
【００６５】
また、第１弾性保持片５７と第２弾性保持片６１は、互いに相手側に向かって拡がるような略Ｖ字形（即ち、細長く屈曲した形状）をなす保持部５８，６２を備えている。この保持部５８，６２は弾性撓みし易いので、外径寸法の異なる複数種類の導電路ＷＬ，ＷＳに対し、幅広く対応できる。また、略Ｖ字形の保持部５８，６２により、両弾性保持片５７，６１の対向方向（上下方向）と直交する前後方向においても、導電路ＷＬ，ＷＳの位置を安定させることができる。
【００６６】
また、第１弾性保持片５７は、第１保持部５８の第１屈曲部６０と、第１ケース構成体５１の内面面との間を連結する第１補強部５９を備えている。第２弾性保持片６１は、第２保持部６２の第２屈曲部６４と、第２ケース構成体５２の内周面との間を連結する第２補強部６３を備えている。この構成によれば、第１保持部５８と第２保持部６２の位置が安定するので、導電路ＷＬ，ＷＳの位置をより安定させることができる。
【００６７】
また、第１弾性保持片５７と第２弾性保持片６１が、導電路ＷＬ，ＷＳの軸線方向に間隔を空けて一対ずつ設けられており、フェライトコアＦが、対をなす第１弾性保持片５７との間で挟まれるとともに、対をなす第２弾性保持片６１との間で挟まれることにより、軸線方向に位置決めされている。この構成によれば、弾性保持片５７，６１がフェライトコアＦを位置決めする機能を兼ね備えているので、弾性保持片５７，６１とは別にフェライトコアＦを位置決めする手段をケース構成体５１，５２に形成する場合に比べると、ケース構成体５１，５２の形状を簡素化できる。
【００６８】
＜他の実施例＞
本発明は上記記述及び図面によって説明した実施例に限定されるものではなく、例えば次のような実施例も本発明の技術的範囲に含まれる。
（１）上記実施例１，２では、フェライトコアが円環形をなしていて、１つの挿通孔が形成されているが、本発明は、フェライトコアが長円形や方形をなし、フェライトコアに複数の挿通孔が形成されている場合にも適用できる。この場合は、複数の挿通孔と個別に対応するように、複数の第１弾性保持片と複数の第２弾性保持片を設ければよい。
（２）上記実施例１，２では、フェライトコアが単一部品であるが、フェライトコアは、一対のコア構成体を合体させたものであってもよい。
（３）上記実施例１，２では、ノイズフィルタが２種類の導電路に取り付けられるようにしたが、ノイズフィルタは、外径寸法の異なる３種類以上の導電路に取り付ける事が可能である。
（４）上記実施例１，２では、フィルタケースが第１ケース構成体と第２ケース構成体をヒンジで連結した単一部品であったが、第１ケース構成体と第２ケース構成体は別体部品であってもよい。
＜参考例＞
（１）上記参考例１において、保持部の先端部を周壁部の内周面に連結した形態とすることも考えられる。
【符号の説明】
【００６９】
Ａ，Ｂ，Ｃ…ノイズフィルタ
Ｆ…フェライトコア
ＷＬ，ＷＳ…導電路
１０，３０，５０…フィルタケース
１１，３１，５１…第１ケース構成体
１２，３２，５２…第２ケース構成体
１９，３７，５７…第１弾性保持片
２０，３８，５８…第１保持部（保持部）
２１，３９…第１脚部（脚部）
２２，４２，６１…第２弾性保持片
２３，４３，６２…第２保持部（保持部）
２４，４４…第２脚部（脚部）
４０，５９…第１補強部（補強部）
４１，６０…第１屈曲部（屈曲部）
４５，６３…第２補強部（補強部）
４６，６４…第２屈曲部（屈曲部）
【図１】
0006361923.tif 000002
【図２】
0006361923.tif 000003
【図３】
0006361923.tif 000004
【図４】
0006361923.tif 000005
【図５】
0006361923.tif 000006
【図６】
0006361923.tif 000007
【図７】
0006361923.tif 000008